(57)【要約】【課題】操作性が改善された多芯式筆記具を提供する。【解決手段】本発明は、軸筒２と、軸筒２の内周面に沿って所定の間隔で配設された第１筆記体３及び少なくとも二本の第２筆記体４ａ、４ｂと、軸筒２から後方に突出するように第１筆記体３の後端に配設され、第１筆記体３を軸筒２の前端から選択的に突出させるように構成された第１ノック部材５と、軸筒２から径方向外側に突出するように第２筆記体４ａ、４ｂの後端に配設され、第２筆記体４ａ、４ｂを軸筒２の前端から選択的に突出させるように構成された第２ノック部材６ａ、６ｂとを備え、第１筆記体３の突出が第１ノック部材５の操作によって解除される、多芯式筆記具１を提供する。【選択図】図２
2018192805.tif 000002
【特許請求の範囲】
【請求項１】
軸筒と、
前記軸筒の内周面に沿って所定の間隔で配設された第１筆記体及び少なくとも二本の第２筆記体と、
前記軸筒の後端から後方に突出するように前記第１筆記体の後端に配設され、前記第１筆記体を前記軸筒の前端から選択的に突出させるように構成された第１ノック部材と、
前記軸筒の側面から径方向外側に突出するように前記第２筆記体の後端に配設され、前記第２筆記体を前記軸筒の前端から選択的に突出させるように構成された第２ノック部材と
を備え、
前記第１筆記体の突出が前記第１ノック部材の操作によって解除される、多芯式筆記具。
【発明の詳細な説明】
【技術分野】
【０００１】
本発明は、複数の筆記体を備える多芯式筆記具に関する。
【背景技術】
【０００２】
従来、特許文献１に開示されるように、複数の筆記体を備える多芯式筆記具が知られている。多芯式筆記具では、複数の筆記体のうちの一つを軸筒の前端から選択的に突出させることによって筆記を行う。
【先行技術文献】
【特許文献】
【０００３】
【特許文献１】特開２０１３−２２０６４２号公報
【発明の概要】
【発明が解決しようとする課題】
【０００４】
特許文献１に開示された多芯式筆記具では、軸筒内において複数のボールペンの中心に配設されたシャープペンは、ペン先の突出状態が、軸筒の外側に配設されたクリップを操作することによって解除される。言い換えれば、軸筒の後端に装着されたノックボタンを押圧することでは、ペン先の突出状態を解除することができない。したがって、ペン先の突出状態を解除するのに、一つのみの筆記体を備える単式筆記具とは異なる操作を使用者に要求するので、直感的な使用が困難になる。
【０００５】
そこで、本発明は、上記の問題点に鑑みてなされたものであって、操作性が改善された多芯式筆記具を提供することを目的とする。
【課題を解決するための手段】
【０００６】
本発明の第１態様では、軸筒と、軸筒の内周面に沿って所定の間隔で配設された第１筆記体及び少なくとも二本の第２筆記体と、軸筒の後端から後方に突出するように第１筆記体の後端に配設され、第１筆記体を軸筒の前端から選択的に突出させるように構成された第１ノック部材と、軸筒の側面から径方向外側に突出するように第２筆記体の後端に配設され、第２筆記体を軸筒の前端から選択的に突出させるように構成された第２ノック部材とを備え、第１筆記体の突出が前記第１ノック部材の操作によって解除される、多芯式筆記具が提供される。
【０００７】
本発明の第１態様では、第１ノック部材が、軸筒に固定された内筒と、内筒内に配設され且つ内筒から後方に突出するノック棒と、ノック棒の前方に配設された回転子とを備え、ノック棒及び回転子が内筒内において軸線方向に移動するように構成され、ノック棒にカム面が形成され、回転子にカム受け面が形成され、カム面及びカム受け面は、ノック棒が前進するとき、カム受け面がカム面から軸線方向及び周方向の力を受けるように構成され、内筒及び回転子は、回転子がノック棒の前進によって周方向に回転すると、軸線方向に互いに係合し又は係合が解除されるように構成されることが好ましい。
【０００８】
本発明の第１態様では、第２筆記体の突出が第１ノック部材の操作によって解除され、回転子が押圧突起を有し、第２ノック部材が接触突起を有し、押圧突起及び接触突起は、回転子が前進するとき、接触突起が押圧突起から軸線方向及び径方向の力を受けるように構成され、第１筆記体の突出が第２ノック部材の操作によって解除されることが好ましい。
【０００９】
本発明の第１態様では、第１筆記体のインク収容管の軸線方向の長さが第２筆記体のインク収容管よりも長いことが好ましい。
【００１０】
本発明の第１態様では、第１筆記体のインク収容管のインク充填量が第２筆記体のインク収容管よりも多いことが好ましい。
【発明の効果】
【００１１】
本発明によれば、操作性が改善された多芯式筆記具が提供される。
【図面の簡単な説明】
【００１２】
【図１】図１（ａ）及び（ｂ）は、それぞれ、本発明の実施形態に係る多芯式筆記具の正面図及び側面図である。
【図２】図２（ａ）及び（ｂ）は、それぞれ、図１（ｂ）のＢ−Ｂ線に沿った多芯式筆記具の正面断面図と、図１（ａ）のＡ−Ａ線に沿った多芯式筆記具の側面断面図とである。
【図３】図３（ａ）〜（ｃ）は、それぞれ、図２（ａ）のＣ−Ｃ線、Ｄ−Ｄ線及びＥ−Ｅ線に沿った多芯式筆記具の平面断面図である。
【図４】図４（ａ）〜（ｄ）は、それぞれ、後軸筒の正面図、側面図、図４（ｂ）のＧ−Ｇ線に沿った後軸筒の正面断面図、及び図４（ａ）のＦ−Ｆ線に沿った後軸筒の側面断面図である。
【図５】図５（ａ）〜（ｅ）は、それぞれ、内筒の正面図、底面図、第１収容部側の斜視図、第２収容部側の斜視図、及び図５（ａ）のＨ−Ｈ線に沿った内筒の側面図である。
【図６】図６（ａ）〜（ｄ）は、それぞれ、ノック棒の正面図、底面図、斜視図、及び図６（ａ）のＩ−Ｉ線に沿ったノック棒の断面図である。
【図７】図７（ａ）〜（ｄ）は、それぞれ、回転子の正面図、平面図、斜視図、及び図７（ａ）のＪ−Ｊ線に沿った回転子の断面図である。
【図８】図８（ａ）〜（ｄ）は、それぞれ、一方の第２ノック部材の正面図、側面図、底面図及び斜視図である。
【図９】図９は、他方の第２ノック部材の底面図である。
【図１０】図１０（ａ）〜（ｄ）は、それぞれ、スペーサの正面図、平面図、後方斜視図及び前方斜視図である。
【図１１】図１１（ａ）及び（ｂ）は、それぞれ、第１筆記体が突出しているときの図１（ａ）のＡ−Ａ線に沿った多芯式筆記具の部分正面断面図と、一方の第２筆記体が突出しているときの図１（ａ）のＡ−Ａ線に沿った多芯式筆記具の部分正面断面図とである。
【発明を実施するための形態】
【００１３】
以下、添付の図面を参照して、本発明の実施形態に係る多芯式筆記具について説明する。
【００１４】
最初に、図１〜図３を参照して、本発明の実施形態に係る多芯式筆記具の構成及び動作について簡単に説明する。
【００１５】
図１（ａ）及び（ｂ）は、それぞれ、本発明の実施形態に係る多芯式筆記具１の正面図及び側面図である。図２（ａ）及び（ｂ）は、それぞれ、図１（ｂ）のＢ−Ｂ線に沿った多芯式筆記具１の正面断面図と、図１（ａ）のＡ−Ａ線に沿った多芯式筆記具１の側面断面図とである。図３（ａ）〜（ｃ）は、それぞれ、図２（ａ）のＣ−Ｃ線、Ｄ−Ｄ線及びＥ−Ｅ線に沿った多芯式筆記具１の平面断面図である。
【００１６】
多芯式筆記具１（以下、単に「筆記具１」とする）は、軸筒２と、軸筒２内に配設された第１筆記体３及び第２筆記体４ａ、４ｂと、軸筒２から後方に突出するように第１筆記体３の後端に配設された第１ノック部材５と、軸筒２から径方向外側に突出するように第２筆記体４ａ、４ｂの後端に配設された第２ノック部材６ａ、６ｂとを備える。なお、本明細書において、筆記具１の先端すなわちペン先側を筆記具１の「前」側と定義し、筆記具１の軸線方向（長手方向）に沿って筆記具１のペン先とは反対側を筆記具１の「後」側と定義する。また、筆記具１の構成部品についても、筆記具１の組立状態において、筆記具１のペン先側を構成部品の「前」側と定義し、筆記具１の軸線方向に沿って筆記具１のペン先とは反対側を構成部品の「後」側と定義する。
【００１７】
本実施形態では、第１筆記体３は一本のボールペンであり、第２筆記体４ａ、４ｂは二本のボールペンである。第１筆記体３と第２筆記体４ａ、４ｂとは軸筒２の内周面に沿って所定の間隔で配設される。本実施形態では、隣接する筆記体間の周方向の間隔は略等しい。
【００１８】
第１ノック部材５は、第１筆記体３を軸筒２の前端から選択的に突出させるように構成される。第２ノック部材６ａ、６ｂは、第２筆記体４ａ、４ｂを軸筒２の前端から選択的に突出させるように構成される。具体的には、第１ノック部材５を操作すると、第１筆記体３が突出し、第２ノック部材６ａ、６ｂを操作すると、第２筆記体４ａ、４ｂが突出する。第１筆記体３及び第２筆記体４ａ、４ｂのペン先は、軸筒２の内周面に沿って径方向内側に移動し、軸筒２の前端から突出する。このことよって、三本の筆記体のうちの一本を選択的に使用して筆記を行うことができる。
【００１９】
第１筆記体３の突出は第１ノック部材５又は第２ノック部材６ａ、６ｂの操作によって解除される。第２筆記体４ａ、４ｂの突出は第１ノック部材５又は突出していない第２筆記体４ａ、４ｂの第２ノック部材６ａ、６ｂの操作によって解除される。したがって、第１筆記体３及び第２筆記体４ａ、４ｂの突出を任意の一つのノック部材を操作することによって解除できるので、筆記具１の操作性が大幅に改善される。なお、本明細書において、筆記体の突出が解除されるとは、軸筒２の前端から突出している筆記体のペン先が軸筒２内に没入することを意味する。
【００２０】
以下、図１〜図１０を参照して、筆記具１の構成部品について詳細に説明する。
【００２１】
図１に示されるように、軸筒２は、前軸筒７と、前軸筒７よりも後方に配設された後軸筒８とを備える。前軸筒７と後軸筒８とは圧入、接着又は螺合によって連結される。例えば、前軸筒７と後軸筒８とは、後軸筒８の前側の内周面に形成された雌ネジが前軸筒７の後側の外周面に形成された雄ネジと螺合することによって連結される。
【００２２】
図４（ａ）〜（ｄ）は、それぞれ、後軸筒８の正面図、側面図、図４（ｂ）のＧ−Ｇ線に沿った後軸筒８の正面断面図、及び図４（ａ）のＦ−Ｆ線に沿った後軸筒８の側面断面図である。後軸筒８の外周面には、第２ノック部材６ａ、６ｂが軸線方向に摺動できるように、二つの摺動孔８１が形成される。摺動孔８１は軸線方向に延在する。後軸筒８の内周面には、後述するスペーサ１８の凹部１８３及び内筒１５の凹部１５１と嵌合する凸部８２が形成される。図３（ａ）及び図４（ｃ）、（ｄ）に示されるように、凸部８２は径方向内側に突出し且つ軸線方向に延在する。後軸筒８の後端には、後述するノック棒１６が後軸筒８から突出するための貫通孔８３が形成される。また、後軸筒８は、軸線方向に延在するクリップ８４を有してもよい。
【００２３】
図２（ｂ）に示されるように、第１筆記体３は、第１インク収容管９、第１継手１０及び第１チップ１１を備え、第２筆記体４ａ、４ｂは、第２インク収容管１２、第２継手１３及び第２チップ１４を備える。第１チップ１１は第１継手１０を介して第１インク収容管９に連結される。第２チップ１４は第２継手１３を介して第２インク収容管１２に連結される。
【００２４】
第１インク収容管９と二本の第２インク収容管１２とには、典型的には、それぞれ異なる色のインクが収容される。第１ノック部材５を第２ノック部材６ａ、６ｂよりも後方に配設することで、第１インク収容管９の長さを第２インク収容管１２よりも長くすることができる。この結果、第１インク収容管９のインク充填量を第２インク収容管１２の充填量よりも多くすることができる。このため、例えば、第１インク収容管９に、一般的に使用頻度が高い黒色のインクを収容することで、筆記具１の寿命を延ばし又は筆記体の交換頻度を少なくすることができる。また、同様の効果を得るために、第１インク収容管９のインク充填量が第２インク収容管１２の充填量よりも多くなるように、第１インク収容管９の径方向の長さを第２インク収容管１２よりも長くしてもよい。
【００２５】
第１ノック部材５は、後軸筒８に固定された内筒１５と、内筒１５内に配設され且つ内筒１５から後方に突出するノック棒１６と、ノック棒１６の前方に配設された回転子１７とを備える。ノック棒１６及び回転子１７は内筒１５内において軸線方向に移動するように構成される。詳しくは後述するが、ノック棒１６を押圧して回転子１７を回転させることで、第１筆記体３を軸筒２の前端から出没させることができる。
【００２６】
図５（ａ）〜（ｅ）は、それぞれ、内筒１５の正面図、底面図、第１収容部１５２側の斜視図、第２収容部１５３側の斜視図、及び図５（ａ）のＨ−Ｈ線に沿った内筒１５の側面図である。内筒１５は、回転子１７を収容する第１収容部１５２と、第２ノック部材６ａ、６ｂを収容する二つの第２収容部１５３とを有する。第１収容部１５２及び第２収容部１５３はそれぞれ前後方向に延在する。二つの第２収容部１５３の間には凹部１５１が形成される。凹部１５１は後軸筒８の凸部８２と嵌合する。このことによって、内筒１５は軸筒２の内周面に固定される。
【００２７】
各第２収容部１５３には、前後方向に延在する摺動溝１５４が形成される。摺動溝１５４には、第２ノック部材６ａ、６ｂが前後に摺動する一対の摺動部１５５が設けられる。また、図５（ｂ）及び（ｄ）に示される摺動部１５５の段部１５６は、第２筆記体４ａ、４ｂが軸筒２から突出するときに第２ノック部材６ａ、６ｂの後端と係合する。
【００２８】
第１収容部１５２には、前後方向に延在する貫通孔１５７と、外カム１５８とが形成される。貫通孔１５７は三つの収容溝１５９を含む。三つの収容溝１５９は、周方向に等間隔に配設され、後述するノック棒１６の突起１６２を収容する。また、収容溝１５９は、図３（ａ）に示されるように、第１筆記体３の没入状態において、後述する回転子１７の内カム１７６を収容する。なお、内筒１５は後軸筒８と一体であってもよい。
【００２９】
図６（ａ）〜（ｄ）は、それぞれ、ノック棒１６の正面図、底面図、斜視図、及び図６（ａ）のＩ−Ｉ線に沿ったノック棒１６の断面図である。ノック棒１６は略円柱形状を有する。ノック棒１６の内部には、後述する回転子１７の挿入部１７１を収容するための収容空間１６４が形成される。筆記具１の使用者はノック棒１６の後端を指で押圧することによって第１ノック部材５を操作することができる。
【００３０】
ノック棒１６は、外周面に、径方向外側に突出し且つ軸線方向に延在する三つの突起１６２を有する。三つの突起１６２は周方向に等間隔に配設される。各突起１６２は、ノック棒１６が軸線方向に移動するとき、内筒１５の収容溝１５９内を軸線方向に摺動するように構成される。すなわち、ノック棒１６及び内筒１５は、ノック棒１６の周方向の回転を規制するように構成される。また、ノック棒１６の前端にはカム面１６３が全周に亘って形成される。カム面１６３は複数の斜面から成る。
【００３１】
図７（ａ）〜（ｄ）は、それぞれ、回転子１７の正面図、平面図、斜視図、及び図７（ａ）のＪ−Ｊ線に沿った回転子１７の断面図である。回転子１７は、中空の略円筒形状を有し、ノック棒１６内に挿入される挿入部１７１と、挿入部１７１の前方に配設された本体部１７２とを有する。
【００３２】
図２（ｂ）に示されるように、第１インク収容管９は本体部１７２に圧入される。このことによって、第１インク収容管９は回転子１７に固定される。図７（ｄ）に示されるように、本体部１７２の内部には、第１インク収容管９の後端が当接する当接面１７３が形成される。また、第１インク収容管９の通気を確保するための通気孔１７４が当接面１７３から回転子１７の後端まで軸線方向に延在する。
【００３３】
本体部１７２の外周面の後端には、ノック棒１６のカム面１６３と相互作用する第１カム受け面１７５が全周に亘って形成される。第１カム受け面１７５はカム面１６３と同様に複数の斜面から成る。カム面１６３及び第１カム受け面１７５は、ノック棒１６が前進するとき、第１カム受け面１７５がカム面１６３から軸線方向及び周方向の力を受けるように構成される。このため、ノック棒１６の前進によってカム面１６３が第１カム受け面１７５を押圧すると、回転子１７は周方向の力によって周方向に回転する。一方、ノック棒１６は、突起１６２が内筒１５の外カム１５８に当接するので、周方向の回転が規制される。
【００３４】
本体部１７２の外周面には、径方向外側に突出し且つ軸線方向に延在する三つの内カム１７６が形成される。三つの内カム１７６は周方向に等間隔に配設される。内カム１７６の後端には、後述する第２ノック部材６ａ、６ｂのカム面６６と相互作用する第２カム受け面１７７が形成される。
【００３５】
内カム１７６は、内筒１５の収容溝１５９内に収容されているとき、ノック棒１６の前進によって回転子１７が周方向に回転すると、三つの内カム１７６のうちの一つが内筒１５の外カム１５８の係合部１５８１（図５（ｂ）及び（ｄ）参照）と軸線方向に係合する。また、内カム１７６は、係合部１５８１と軸線方向に係合しているとき、ノック棒１６の前進によって回転子１７が周方向に回転すると、係合部１５８１との係合が解除され、その後、外カム１５８から更なる周方向の力を受けて収容溝１５９内に収容される。内カム１７６が収容溝１５９内に収容されるとき、外カム１５８は内カム１７６の間に収容される。すなわち、内筒１５及び回転子１７は、回転子１７がノック棒１６の前進によって周方向に回転すると、軸線方向に互いに係合し又はその係合が解除されるように構成される。
【００３６】
本体部１７２の前端部の外周面には、第２筆記体４ａ、４ｂの突出を第１ノック部材５によって解除するときに第２ノック部材６ａ、６ｂの接触突起６８を押圧する三つの押圧突起１７８が形成される。押圧突起１７８は径方向外側に突出し且つ軸線方向に延在する。また、三つの押圧突起１７８は周方向に等間隔に配設される。押圧突起１７８の周方向位置は内カム１７６と等しい。
【００３７】
図８（ａ）〜（ｄ）は、それぞれ、第２ノック部材６ａの正面図、側面図、底面図及び斜視図である。第２ノック部材６ａは細長の形状を有する。第２ノック部材６ａは、前後方向に延在する本体部６１と、本体部６１の前方に形成された嵌合部６２と、本体部６１の後部に形成された操作部６３とを有する。嵌合部６２は第２インク収容管１２と嵌合する。このことによって、第２インク収容管１２は第２ノック部材６ａに固定される。本体部６１には、後述する第２スプリング２２が当接する付勢面６４が形成される。図１（ｂ）に示されるように、操作部６３は、筆記具１の組立状態において、軸筒２から径方向外側に突出するので、指で操作されることができる。
【００３８】
本体部６１の一方の側部にはカム部６５が形成される。カム部６５の前端には、回転子１７の第２カム受け面１７７と相互作用するカム面６６が形成される。カム面６６及び第２カム受け面１７７は、第２ノック部材６ａが前進するとき、第２カム受け面１７７がカム面６６から軸線方向及び周方向の力を受けるように構成される。このため、第２ノック部材６ａ、６ｂの前進によってカム面６６が第２カム受け面１７７を押圧すると、回転子１７は周方向の力によって周方向に回転する。一方、第２ノック部材６ａ、６ｂは、操作部６３が後軸筒８の摺動孔８１の側壁に当接するので、周方向の回転が規制される。
【００３９】
本体部６１の底面には、押圧突起６７と、接触突起６８とが形成される。押圧突起６７は接触突起６８よりも前方に位置する。図１３（ａ）に示されるように、押圧突起６７及び接触突起６８は、筆記具１の組立状態において、軸筒２の径方向内側に突出し且つ軸線方向に延在する。接触突起６８は、第２ノック部材６ａの突出を第１ノック部材５の操作によって解除するときに回転子１７の押圧突起１７８によって押圧される。押圧突起１７８及び接触突起６８は、接触時に互いに軸線方向及び径方向の力を受けるように構成される。また、接触突起６８は、突出していない第２筆記体４ｂの第２ノック部材６ｂの操作によって第２筆記体４ａの突出を解除するときに、突出していない第２筆記体４ｂの第２ノック部材６ｂの押圧突起６７によって押圧される。接触突起６８及び押圧突起６７は、接触時に互いに軸線方向及び径方向の力を受けるように構成される。
【００４０】
図９は、第２ノック部材６ｂの底面図である。第２ノック部材６ａと第２ノック部材６ｂとは、カム部６５の位置及び形状が異なるが、その他の形状は同一である。
【００４１】
図２に示されるように、筆記具１は、さらに、第１スプリング２１と、第２スプリング２２と、第１スプリング２１及び第２スプリング２２を支持するスペーサ１８とを備える。
【００４２】
図１０（ａ）〜（ｄ）は、それぞれ、スペーサの正面図、平面図、後方斜視図及び前方斜視図である。スペーサ１８は、円柱部１８１と、円柱部から後方に延在するスプリングガイド１８２とを有する。また、スプリングガイド１８２の一部には凹部１８３が形成される。凹部１８３は後軸筒８の凸部８２と嵌合する。このことによって、スペーサ１８は後軸筒８の内周面に固定される。
【００４３】
円柱部１８１は円柱形状を有し、円柱部１８１には三つの貫通孔が形成される。第１貫通孔１８４と二つの第２貫通孔１８５とは円柱部１８１の内周面に沿って所定の間隔で配設される。本実施形態では、隣接する貫通孔間の周方向の間隔は略等しい。第１インク収容管９は、第１貫通孔１８４を通って延在し、回転子１７に固定される。第２インク収容管１２は、第２貫通孔１８５を通って延在し、第２ノック部材６ａ、６ｂに固定される。図１０（ｂ）に示されるように、第１貫通孔１８４の面積は第２貫通孔１８５の面積よりも大きい。このことによって、第１インク収容管９の太さを第２インク収容管１２よりも太くすることができ、ひいては第１インク収容管９のインク充填量を第２インク収容管１２の充填量よりも多くすることができる。
【００４４】
第１スプリング２１は、円柱部１８１の後面と回転子１７の前端との間に第１インク収容管９を周方向に囲むように配設され、回転子１７ひいては第１筆記体３を後方に付勢する。第２スプリング２２は、円柱部１８１の後面と第２ノック部材６ａ、６ｂの付勢面６４との間に第２インク収容管１２を周方向に囲むように配設され、第２ノック部材６ａ、６ｂひいては第２筆記体４ａ、４ｂを後方に付勢する。
【００４５】
以下、第１筆記体３及び第２筆記体４ａ、４ｂが軸筒２の前端から突出する原理と、第１筆記体３及び第２筆記体４ａ、４ｂの突出が第１ノック部材５又は第２ノック部材６ａ、６ｂによって解除される原理とについて詳細に説明する。
【００４６】
図１１（ａ）及び（ｂ）は、それぞれ、第１筆記体３が突出しているときの図１（ａ）のＡ−Ａ線に沿った多芯式筆記具１の部分正面断面図と、第２筆記体４ｂが突出しているときの図１（ａ）のＡ−Ａ線に沿った多芯式筆記具の部分正面断面図とである。
【００４７】
最初に第１筆記体３が軸筒２の前端から突出する原理について説明する。
【００４８】
没入状態では、回転子１７の内カム１７６は内筒１５の収容溝１５９内に収容される。この状態から第１スプリング２１の付勢力に抗してノック棒１６を前進させると、ノック棒１６のカム面１６３が回転子１７の第１カム受け面１７５に当接し、回転子１７がノック棒１６と共に前進する。このとき、ノック棒１６及び回転子１７はカム面１６３及び第１カム受け面１７５を介して互いに軸線方向及び周方向の力を受ける。その後、内カム１７６の後端が外カム１５８の前端を越えると、回転子１７の周方向の規制が解除されるので、回転子１７は周方向の力によって周方向（前方から見て反時計回り）に回転する。一方、ノック棒１６は、突起１６２が外カム１５８に当接することによって周方向の回転が規制されるので、周方向に回転しない。
【００４９】
この状態でノック棒１６を離すと、ノック棒１６及び回転子１７は第１スプリング２１の付勢力によって後退する。このとき、周方向に回転した回転子１７の内カム１７６のうちの一つは内筒１５の外カム１５８の係合部１５８１と軸線方向に係合する。この係合によって回転子１７の後退が妨げられるので、回転子１７に固定された第１筆記体３は、軸筒２の前端からの突出状態が維持される。
【００５０】
以下、第１筆記体３の突出が第１ノック部材５によって解除される原理について説明する。
【００５１】
突出状態では、回転子１７の内カム１７６は内筒１５の外カム１５８と軸線方向に係合する。この状態から第１スプリング２１の付勢力に抗してノック棒１６を前進させると、ノック棒１６のカム面１６３が回転子１７の第１カム受け面１７５に当接し、回転子１７がノック棒１６と共に前進する。このとき、ノック棒１６及び回転子１７はカム面１６３及び第１カム受け面１７５を介して互いに軸線方向及び周方向の力を受ける。その後、内カム１７６の後端が外カム１５８の前端を越えると、回転子１７の周方向の規制が解除されるので、回転子１７は周方向の力によって周方向（前方から見て反時計回り）に回転する。一方、ノック棒１６は、突起１６２が外カム１５８に当接することによって周方向の回転が規制されるので、周方向に回転しない。
【００５２】
この状態でノック棒１６を離すと、ノック棒１６及び回転子１７は第１スプリング２１の付勢力によって後退し、周方向に回転した内カム１７６は収容溝１５９内に収容される。このとき、回転子１７に固定された第１筆記体３も共に後退するので、第１筆記体３の突出が解除される。
【００５３】
以下、第１筆記体３の突出が第２ノック部材６ａ、６ｂによって解除される原理について説明する。
【００５４】
突出状態では、回転子１７の内カム１７６は内筒１５の外カム１５８と軸線方向に係合する。このとき、第２ノック部材６ａ、６ｂのカム部６５は回転子１７の内カム１７６よりも後方に位置し、カム部６５の周方向位置は内カム１７６の一つと等しい。
【００５５】
この状態から第２スプリング２２の付勢力に抗して第２ノック部材６ａ、６ｂを前進させると、第２ノック部材６ａ、６ｂのカム面６６が回転子１７の第２カム受け面１７７に当接し、回転子１７が第２ノック部材６ａ、６ｂと共に前進する。このとき、第２ノック部材６ａ、６ｂ及び回転子１７はカム面６６及び第２カム受け面１７７を介して互いに軸線方向及び周方向の力を受ける。その後、内カム１７６の後端が外カム１５８の前端を越えると、回転子１７の周方向の規制が解除されるので、回転子１７は周方向の力によって周方向（前方から見て反時計回り）に回転する。一方、第２ノック部材６ａ、６ｂは、操作部６３が後軸筒８の摺動孔８１の側壁に当接することによって周方向の回転が規制されるので、周方向に回転しない。周方向に回転した内カム１７６は第１スプリング２１の付勢力によって収容溝１５９内に収容される。このとき、回転子１７及びノック棒１６が後退するので、回転子１７に固定された第１筆記体３も共に後退し、第１筆記体３の突出が解除される。
【００５６】
以下、第２筆記体４ａ、４ｂが軸筒２の前端から突出する原理について説明する。
【００５７】
没入状態では、第２ノック部材６ａ、６ｂの操作部６３は内筒１５の摺動溝１５４の後方に位置する。この状態から第２スプリング２２の付勢力に抗して第２ノック部材６ａ、６ｂを前進させる。その後、第２ノック部材６ａ、６ｂの後端が内筒１５の摺動部１５５の段部１５６を越えると、第２ノック部材６ａ、６ｂの操作部６３は径方向内側に向かって落ち込む。
【００５８】
この状態で第２ノック部材６ａ、６ｂを離すと、図１１（ｂ）に示されるように、第２スプリング２２の付勢力によって第２ノック部材６ａ、６ｂの後端は段部１５６と軸線方向に係合する。この係合によって第２ノック部材６ａ、６ｂの後退が妨げられるので、第２ノック部材６ａ、６ｂに固定された第２筆記体４ａ、４ｂは軸筒２の前端からの突出状態が維持される。
【００５９】
以下、第２筆記体４ｂの突出が第１ノック部材５によって解除される原理について説明する。なお、第２筆記体４ａの突出が第１ノック部材５によって解除される原理も同様である。
【００６０】
突出状態では、第２ノック部材６ｂは内筒１５と軸線方向に係合する。このとき、図１１（ｂ）に示されるように、回転子１７の押圧突起１７８は第２ノック部材６ｂの接触突起６８よりも後方に位置し。また、押圧突起１７８及び接触突起６８は周方向において部分的に重なる。
【００６１】
この状態から第１スプリング２１の付勢力に抗してノック棒１６を前進させると、ノック棒１６のカム面１６３が回転子１７の第１カム受け面１７５に当接し、回転子１７がノック棒１６と共に前進する。その後、回転子１７の押圧突起１７８が第２ノック部材６ｂの接触突起６８に接触すると、接触突起６８が押圧突起１７８から径方向外側の力を受けるので、第２ノック部材６ｂと内筒１５との係合が解除される。その後、第２ノック部材６ｂが第２スプリング２２の付勢力によって後退するので、第２ノック部材６ｂに固定された第２筆記体４ｂも共に後退し、第２筆記体４ｂの突出が解除される。
【００６２】
以下、第２筆記体４ｂの突出が第２ノック部材６ａによって解除される原理について説明する。なお、第２筆記体４ａの突出が第２ノック部材６ｂによって解除される原理も同様である。
【００６３】
突出状態では、第２ノック部材６ｂは内筒１５と軸線方向に係合する。このとき、図１１（ｂ）に示されるように、突出していない第２筆記体４ａの第２ノック部材６ａの押圧突起６７は、第２ノック部材６ｂの接触突起６８よりも後方に位置する。また、第２ノック部材６ａの押圧突起６７及び第２ノック部材６ｂの接触突起６８は周方向において部分的に重なる。
【００６４】
この状態から第２スプリング２２の付勢力に抗して、第２筆記体４ａの第２ノック部材６ａを前進させると、第２ノック部材６ａの押圧突起６７が、第２ノック部材６ｂの接触突起６８と接触する。このとき、第２ノック部材６ｂの接触突起６８が第２ノック部材６ａの押圧突起６７から径方向外側の力を受けるので、第２ノック部材６ｂと内筒１５との係合が解除される。その後、第２ノック部材６ｂが第２スプリング２２の付勢力によって後退するので、第２ノック部材６ｂに固定された第２筆記体４ｂも共に後退し、第２筆記体４ｂの突出が解除される。
【００６５】
以上、本発明に係る好適な実施形態を説明したが、本発明はこれら実施形態に限定されるものではなく、特許請求の範囲内で様々な修正及び変更を施すことができる。例えば、第１筆記体はボールペンの代わりにシャープペンシルであってもよい。この場合、弾性力の異なる二種類のスプリングで第１筆記体を付勢することによって、シャープペンシルの芯の繰り出しを可能としつつ、第１筆記体の突出を第１ノック部材で解除することができる。また、第２筆記体の数は三本以上であってもよい。
【符号の説明】
【００６６】
１    多芯式筆記具（筆記具）
２    軸筒
３    第１筆記体
４ａ、４ｂ    第２筆記体
５    第１ノック部材
６ａ、６ｂ    第２ノック部材
６６    カム面
６７    押圧突起
６８    接触突起
７    前軸筒
８    後軸筒
９    第１インク収容管
１０    第１継手
１１    第１チップ
１２    第２インク収容管
１３    第２継手
１４    第２チップ
１５    内筒
１５８    外カム
１６    ノック棒
１６２    突起
１６３    カム面
１７    回転子
１７５    第１カム受け面
１７６    内カム
１７７    第２カム受け面
１７８    押圧突起
１８    スペーサ
２１    第１スプリング
２２    第２スプリング
【図１】
2018192805.tif 000003
【図２】
2018192805.tif 000004
【図３】
2018192805.tif 000005
【図４】
2018192805.tif 000006
【図５】
2018192805.tif 000007
【図６】
2018192805.tif 000008
【図７】
2018192805.tif 000009
【図８】
2018192805.tif 000010
【図９】
2018192805.tif 000011
【図１０】
2018192805.tif 000012
【図１１】
2018192805.tif 000013
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
軸筒と、
前記軸筒の内周面に沿って所定の間隔で配設された第１筆記体及び少なくとも二本の第２筆記体と、
前記軸筒の後端から後方に突出するように前記第１筆記体の後端に配設され、前記第１筆記体を前記軸筒の前端から選択的に突出させるように構成された第１ノック部材と、
前記軸筒の側面から径方向外側に突出するように前記第２筆記体の後端に配設され、前記第２筆記体を前記軸筒の前端から選択的に突出させるように構成された第２ノック部材と
を備え、
前記第１筆記体の突出が前記第２ノック部材の操作によって解除される、多芯式筆記具。
【請求項２】
軸筒と、
前記軸筒の内周面に沿って所定の間隔で配設された第１筆記体及び少なくとも二本の第２筆記体と、
前記軸筒の後端から後方に突出するように前記第１筆記体の後端に配設され、前記第１筆記体を前記軸筒の前端から選択的に突出させるように構成された第１ノック部材と、
前記軸筒の側面から径方向外側に突出するように前記第２筆記体の後端に配設され、前記第２筆記体を前記軸筒の前端から選択的に突出させるように構成された第２ノック部材と
を備え、
前記第２筆記体の突出が前記第１ノック部材の操作によって解除される、多芯式筆記具。
【請求項３】
前記第１ノック部材が、
前記軸筒に固定された内筒と、
前記内筒内に配設され且つ該内筒から後方に突出するノック棒と、
前記ノック棒の前方に配設された回転子と
を備え、
前記ノック棒及び回転子が前記内筒内において軸線方向に移動するように構成され、
前記ノック棒にカム面が形成され、前記回転子にカム受け面が形成され、前記カム面及びカム受け面は、前記ノック棒が前進するとき、前記カム受け面が前記カム面から軸線方向及び周方向の力を受けるように構成され、
前記内筒及び回転子は、該回転子が前記ノック棒の前進によって周方向に回転すると、軸線方向に互いに係合し又は該係合が解除されるように構成され、
前記回転子が押圧突起を有し、前記第２ノック部材が接触突起を有し、該押圧突起及び接触突起は、該回転子が前進するとき、該接触突起が該押圧突起から軸線方向及び径方向の力を受けるように構成される、請求項１又は２に記載の多芯式筆記具。